(57)【要約】【課題】集塵フィルターの定期的な清掃作業を自動的に行なう空気調和機のフィルター装置において、塵埃を除去する塵埃除去部が動作中に傾動することにより摩擦が増大して動作不良が起きることを防止する。【解決手段】空気中の埃を集塵するエアフィルターと、エアフィルターを保持するフィルター枠に備えられたガイドレールに沿って、可動式塵埃除去部が移動しながら、エアフィルターに付着した埃を除去する空気調和機のフィルター装置で、可動式塵埃除去部が、水平方向に軸を持つ滑車を２個備え、かつ、垂直方向に軸を持つ滑車を２個備えることにより、塵埃除去部が傾動しないようにし、確実な動作環境を確保する。【選択図】図３
2007107854.tif 000002
【特許請求の範囲】
【請求項１】
熱交換器を通過する空気中の埃を、前記熱交換器の風上にあって埃を集塵するエアフィルターならびにガイドレールを具備し、塵埃除去部が、前記ガイドレールに沿って移動して、前記エアフィルターに付着した埃を除去する空気調和機のフィルター装置であって、前記塵埃除去部が、水平方向に軸を持つ滑車を２個、垂直方向に軸を持つ滑車を２個備えたことを特徴とする空気調和機のフィルター装置。
【発明の詳細な説明】
【技術分野】
【０００１】
本発明は、エアフィルターの清掃を自動的に行うようにした空気調和機に関するものである。
【背景技術】
【０００２】
従来、空気調和機のフィルター装置は、熱交換器の上流側に、熱交換器および、空気調和機内部への埃の侵入を防止するために、エアフィルターが配置されている。エアフィルターは自由に着脱することができ、取り外してエアフィルターに付着した埃を掃除しやすくなっている。
【０００３】
このような構成のフィルター装置では、頻繁なメンテナンスを必要とし、メンテナンスが行われるまでの間には、埃によってエアフィルターが徐々に目詰まりしてゆき、その結果、熱交換器を通過する風量も徐々に低下し、消費電力の増大に繋がる。
【０００４】
このため、フィルターのメンテナンスの手間を低減する目的で、エアフィルターに付着した埃を可動式の吸引ノズルで定期的に吸引清掃する自動清掃装置が考案されている。
【０００５】
ここでは、吸引ノズルは滑車を有し、ガイドレールに沿って可動する（例えば、特許文献１参照）。
【特許文献１】特開２００５−１４７５４６号公報
【発明の開示】
【発明が解決しようとする課題】
【０００６】
しかしながら、前記従来の構成では、吸引ノズルを左右方向へ駆動しようとする際に、滑車を中心として吸引ノズル自体が若干ではあるが傾動してしまう為、吸引ノズルがフィルターに押し付けられて摩擦力が増大し、吸引ノズルの移動が停止してしまう場合があるという課題を有していた。
【０００７】
本発明は、前記従来の課題を解決するものであり、空気調和機のメンテナンスの煩わしさを大幅に低減するフィルター装置を確実に作動させることを目的とするものである。
【課題を解決するための手段】
【０００８】
前記従来の課題を解決するために、本発明のフィルター装置は、熱交換器を通過する空気中の埃を、前記熱交換器の風上にあって埃を集塵するエアフィルターならびにガイドレールを具備し、前記ガイドレールに沿って移動し、前記エアフィルターに付着した埃を除去する塵埃除去部を備え、前記塵埃除去部が、水平方向に軸を持つ滑車を２個備え、かつ、垂直方向に軸を持つ滑車を２個備えていることを特徴とする。
【０００９】
この構成によれば、可動式埃除去部の動作中に、可動式埃除去部自体が、滑車を中心として、傾動してしまうことを防ぐことが可能になる。
【００１０】
すなわち、エアフィルターの表面に付着した埃の自動除去を確実に行うことが可能となり、その埃を吸引装置で吸引して、屋外へ排出することが可能になる。
【発明の効果】
【００１１】
本発明の空気調和機のフィルター装置は、空気調和機の利用者の定期的なメンテナンスの負担を低減でき、同時に長期間の運転に対する性能の低下を抑えることが可能な空気調
和機を提供することが出来る。
【発明を実施するための最良の形態】
【００１２】
第１の発明は、本発明のフィルター装置は、熱交換器を通過する空気中の埃を、前記熱交換器の風上にあって埃を集塵するエアフィルターならびにガイドレールを具備し、前記ガイドレールに沿って移動し、前記エアフィルターに付着した埃を除去する塵埃除去部を備え、前記塵埃除去部が、水平方向に軸を持つ滑車を２個備え、かつ、垂直方向に軸を持つ滑車を２個備えることを特徴とする。
【００１３】
この構成によれば、可動式埃除去部の動作中に、可動式埃除去部自体が、滑車を中心として、傾動してしまうことを防ぐことが可能になる。
【００１４】
すなわち、エアフィルターの表面に付着した埃の自動除去を確実に行うことが可能となり、その埃を吸引装置で吸引して、屋外へ排出することが可能になる。
【００１５】
こうすることにより。本発明のフィルター装置は、空気調和機の利用者の定期的なメンテナンスの負担を低減でき、同時に長期間の運転に対する性能の低下を抑えることが可能な空気調和機を提供することが出来る。
【００１６】
以下、本発明の実施の形態について図面を参照しながら説明する、なお、この実施の形態によって本発明が限定されるものではない。
【００１７】
（実施の形態１）
図１は本発明の実施の形態１におけるフィルター装置１の斜視図であり、図２は、図１におけるＡ−Ａ断面であり、図３は図２の詳細部Ｂにおける斜視図である。
図５は本発明実施の形態１における空気調和機の正面図であり、図４は図５のＩ−Ｉ断面である。
【００１８】
図１において、フィルターワク７には、熱交換器を通過する空気中の埃を除去するエアフィルター２と、可動式埃除去部８を備え、可動式埃除去部８は、フィルターワク７の上下端に設置したガイドレール６に図２に示すような滑車１２を介して支持されており、左右に移動することが可能な構成となっている。
【００１９】
ここで可動式埃除去部８はフィルターワク７の下部に備えたワイヤー３を駆動モーター４で、プーリー５を介して左右に駆動する。
【００２０】
可動式埃除去部８は、フィルター２に面して、空気吸入口を有しており、可動式埃除去部８の内部と連結している。
【００２１】
さらに、可動式埃除去部８は、蛇腹９、吸引装置１０および、屋外へ引き回わされる排気ダクト１１と連結されている。
【００２２】
図３において、ひとつのガイドレール６に対し、可動式埃除去部８は、水平方向に軸を持つ滑車１３を２つ、垂直方向に軸を持つ滑車１４を２つ備えている。
【００２３】
以上のように構成されたフィルター装置１について、以下その動作、作用を説明する。フィルター装置１の動作停止時は、可動式埃収納部８はフィルターワク７の右端で待機しているものとする。
【００２４】
フィルター装置１を作動させると、吸引装置１０が作動すると同時に、可動式埃除去部
８は、左から右へと移動してゆく。
【００２５】
そして、フィルター２に付着した埃は、空気吸引口から吸引され、蛇腹９を通じ吸引装置１０に吸引され、さらに、排気ダクト１１を通じて屋外へ排出されることとなる。
【００２６】
可動式埃除去部８は、ガイドレール６に沿って左右へ移動することとなるが、滑車１３を介して水平方向で２箇所、滑車１４を介して垂直方向で２箇所ガイドレール６に接触することとなり、可動式埃除去部８が左右方向以外の方向に動くことを規制することとなり、吸引ノズルがフィルターに押し付けられて、摩擦力により吸引ノズルの移動が停止してしまう様なことを確実に防ぐことが可能となる。
【００２７】
その結果、フィルターの表面に付着した粉塵を、確実に自動的に除去することが可能となり、空気調和機の利用者の定期的なメンテナンスの負担を低減でき、同時に長期間の運転に対する性能の低下を抑えることが可能な空気調和機を提供することが出来る。
【００２８】
尚、本実施例では、可動式埃収納部８をフィルターワク７に沿って左右に移動させたが、フィルターファク７に沿って上下に移動させてもかまわない。
【００２９】
また、滑車の数は２個を超えて存在してもよい。
【産業上の利用可能性】
【００３０】
以上のように、本発明にかかる空気調和機のフィルター装置は、エアフィルターに付着した埃を自動的に清掃できるメンテナンス性を備えており、空気清浄機や制御盤などの空気中の埃を集塵するエアフィルターを装着した機器に適用できる。
【図面の簡単な説明】
【００３１】
【図１】本発明の実施の形態１におけるフィルター装置の斜視図
【図２】本発明の実施の形態１におけるフィルター装置の断面図（図１のＡ−Ａ断面）
【図３】図２の詳細部Ｂの斜視図
【図４】本発明の実施の形態１における空気調和機の断面図（図５のＩ−Ｉ断面）
【図５】本発明の実施の形態１における空気調和機の正面図
【符号の説明】
【００３２】
１  フィルター装置
２  エアフィルター
３  ワイヤー
４  駆動モーター
５  プーリー
６  ガイドレール
７  フィルターワク
８  可動式埃除去部
９  蛇腹
１０  吸引装置
１１  排気ダクト
１２  滑車
１３  滑車（水平軸）
１４  滑車（垂直軸）
１５  熱交換器
１６  ファン
１７  風回路
１８  吹き出し口
１９  本体
【図１】
2007107854.tif 000003
【図２】
2007107854.tif 000004
【図３】
2007107854.tif 000005
【図４】
2007107854.tif 000006
【図５】
2007107854.tif 000007